(57)【要約】【課題】ダーツボードに対して比較的に低い位置からであっても、ダーツボードからダーツを容易に回収する。【解決手段】ダーツボードからダーツを回収するダーツ回収器具は、ダーツのバレルの通過を阻止可能な第１の間隔で上方からダーツのティップを受け入れ可能に上下方向に延びた第１の間隙を、形成する一対の第１間隙形成部と；第１の間隔より広い第２の間隔で上方からダーツのバレルを受け入れ可能に上下方向に延びた第２の間隙を、形成する一対の第２間隙形成部と；第２の間隙の下端を形成する底部と；底部より下方に延びた柄部とを備える。第１の間隙および第２の間隙は、ダーツボードに刺さったダーツを受け入れ可能に構成されているとともに、複数のダーツを積み重ねて保持可能に構成されている。【選択図】図６
2020000809.tif 000002
【特許請求の範囲】
【請求項１】
ダーツボードからダーツを回収するダーツ回収器具であって、
ダーツのバレルの通過を阻止可能な第１の間隔で上方からダーツのティップを受け入れ可能に上下方向に延びた第１の間隙を、形成する一対の第１間隙形成部と、
前記第１の間隔より広い第２の間隔で上方からダーツのバレルを受け入れ可能に上下方向に延びた第２の間隙を、形成する一対の第２間隙形成部と、
前記第２の間隙の下端を形成する底部と、
前記底部より下方に延びた柄部と
を備え、
前記第１の間隙および前記第２の間隙は、ダーツボードに刺さったダーツを受け入れ可能に構成されているとともに、複数のダーツを積み重ねて保持可能に構成されていることを特徴とするダーツ回収器具。
【請求項２】
請求項１に記載のダーツ回収器具であって、
前記底部は、前記第１の間隙に向けて傾斜している、ダーツ回収器具。
【請求項３】
請求項１または請求項２に記載のダーツ回収器具であって、更に、
前記第１の間隙の上端から上方に向かうに連れて広がる第３の間隙を形成する一対の第３間隙形成部を、備えるダーツ回収器具。
【請求項４】
請求項１から請求項３のいずれか一項に記載のダーツ回収器具であって、
前記柄部は、前記底部より下方、かつ、前記第１の間隙から前記第２の間隙に向かう後方に延びている、ダーツ回収器具。
【請求項５】
請求項１から請求項４のいずれか一項に記載のダーツ回収器具であって、更に、
前記柄部に設けられ、使用者の腕を支持可能に構成された腕支持部を、備えるダーツ回収器具。
【請求項６】
請求項１から請求項５のいずれか一項に記載のダーツ回収器具であって、更に、
前記一対の第１間隙形成部と前記一対の第２間隙形成部とが形成された保持部と、
前記保持部が前記柄部に対して前記第１の間隙から前記第２の間隙に向かう後方へと回転可能に、前記保持部を前記柄部に対して支持する回転支持部と、
前記保持部を前記第２の間隙から前記第１の間隙に向かう前方へと押し付けるバネ部と
を備えるダーツ回収器具。
【請求項７】
請求項１から請求項６のいずれか一項に記載のダーツ回収器具であって、更に、
前記第２の間隙において内側に向けて突出するとともに上下方向に延びた一対の緩衝材を、備えるダーツ回収器具。
【発明の詳細な説明】
【技術分野】
【０００１】
本明細書は、ダーツ回収器具に関する技術を開示する。
【背景技術】
【０００２】
ダーツ競技は、円形の的であるダーツボードに、手投げの矢であるダーツを一定の距離から投げ、ダーツボードにダーツが刺さった位置に応じた得点により優劣を競う射的競技の一種である。ダーツ競技の公式規定では、ダーツボードの中心から床までの高さは１７３０ｍｍに規定されている。ダーツは、矢先方向から、矢尻であるティップ（「ポイント」とも呼ばれる。）と、ティップに連結されるバレルと、バレルに連結されるシャフトと、シャフトに設けられた矢羽であるフライトとを備える（例えば、特許文献１を参照）。基本的にダーツ競技では、競技者は、３本のダーツを投じる１スロウごとに、ダーツボードに刺さったダーツを自身の手で引き抜くことによって回収する。
【先行技術文献】
【特許文献】
【０００３】
【特許文献１】特開２００５−１５２４２４号公報
【発明の概要】
【発明が解決しようとする課題】
【０００４】
車椅子に乗った競技者、ならびに、比較的に背の低い競技者（例えば、女性や子供など）、比較的に高い位置に設置されたダーツボードに自身の手が届きにくい競技者にとっては、ダーツボードからダーツを回収することが困難であるという問題があった。
【課題を解決するための手段】
【０００５】
本明細書に開示する技術は、以下の形態として実現できる。
【０００６】
（１）本明細書に開示する一形態におけるダーツ回収器具は、ダーツボードからダーツを回収するダーツ回収器具である。このダーツ回収器具は、ダーツのバレルの通過を阻止可能な第１の間隔で上方からダーツのティップを受け入れ可能に上下方向に延びた第１の間隙を、形成する一対の第１間隙形成部と；前記第１の間隔より広い第２の間隔で上方からダーツのバレルを受け入れ可能に上下方向に延びた第２の間隙を、形成する一対の第２間隙形成部と；前記第２の間隙の下端を形成する底部と；前記底部より下方に延びた柄部とを備え、前記第１の間隙および前記第２の間隙は、ダーツボードに刺さったダーツを受け入れ可能に構成されているとともに、複数のダーツを積み重ねて保持可能に構成されていることを特徴とする。この形態のダーツ回収器具によれば、ダーツボードに対して比較的に低い位置からであっても、ダーツボードから複数のダーツを容易にまとめて回収できる。
【０００７】
（２）上記形態のダーツ回収器具において、前記底部は、前記第１の間隙に向けて傾斜していてもよい。この形態のダーツ回収器具によれば、第１の間隙および第２の間隙に保持されているダーツを、ダーツのバレルが第１の間隙に係合する方向へと重力によって案内できるため、第１の間隙および第２の間隙からのダーツの脱落を防止できる。
【０００８】
（３）上記形態のダーツ回収器具は、更に、前記第１の間隙の上端から上方に向かうに連れて広がる第３の間隙を形成する一対の第３間隙形成部を、備えてもよい。この形態のダーツ回収器具によれば、ダーツボードに刺さっているダーツのティップを第３の間隙を通じて第１の間隙へと容易に案内できる。
【０００９】
（４）上記形態のダーツ回収器具において、前記柄部は、前記底部より下方、かつ、前記第１の間隙から前記第２の間隙に向かう後方に延びていてもよい。この形態のダーツ回収器具によれば、ダーツボードに刺さっているダーツに対して容易に位置合わせできる。また、ダーツボードからダーツを引き抜く力を容易に加えることができる。
【００１０】
（５）上記形態のダーツ回収器具は、更に、前記柄部に設けられ、使用者の腕を支持可能に構成された腕支持部を、備えてもよい。この形態のダーツ回収器具によれば、腕支持部によって使用者の腕が支持されるため、安定性および操作性を向上させることができる。
【００１１】
（６）上記形態のダーツ回収器具は、更に、前記一対の第１間隙形成部と前記一対の第２間隙形成部とが形成された保持部と；前記保持部が前記柄部に対して前記第１の間隙から前記第２の間隙に向かう後方へと回転可能に、前記保持部を前記柄部に対して支持する回転支持部と；前記保持部を前記第２の間隙から前記第１の間隙に向かう前方へと押し付けるバネ部とを備えてもよい。この形態のダーツ回収器具によれば、ダーツボードに対する前後方向の位置ズレを柄部に対する保持部の回転によって調整できるため、ダーツボードに刺さっているダーツに対して容易に位置合わせできる。
【００１２】
（７）上記形態のダーツ回収器具は、更に、前記第２の間隙において内側に向けて突出するとともに上下方向に延びた一対の緩衝材を、備えてもよい。この形態のダーツ回収器具によれば、一対の緩衝材の間にダーツのバレルおよびシャフトの少なくとも一部を挟み込むことによって、第１の間隙および第２の間隙からのダーツの脱落を防止できる。
【００１３】
本明細書に開示する技術は、ダーツ回収器具とは異なる種々の形態で実現できる。本明細書に開示する技術は、例えば、ダーツ用具の部品、ダーツ用具の製造方法、ならびに、ダーツの回収方法などの形態で実現できる。
【図面の簡単な説明】
【００１４】
【図１】ダーツ回収器具の構成を示す説明図である。
【図２】ダーツ回収器具の詳細構成を示す説明図である。
【図３】ダーツ回収器具を使用する様子を示す説明図である。
【図４】ダーツ回収器具を使用する様子を示す説明図である。
【図５】ダーツ回収器具を使用する様子を示す説明図である。
【図６】ダーツ回収器具を使用する様子を示す説明図である。
【図７】第２実施形態におけるダーツ回収器具を示す説明図である。
【図８】第３実施形態におけるダーツ回収器具を示す説明図である。
【図９】第４実施形態におけるダーツ回収器具を示す説明図である。
【発明を実施するための形態】
【００１５】
Ａ．第１実施形態
図１は、ダーツ回収器具１０の構成を示す説明図である。図２は、ダーツ回収器具１０の詳細構成を示す説明図である。図２（ａ）は、上方から見たダーツ回収器具１０の詳細構成を示す上面図である。図２（ｂ）は、前方から見たダーツ回収器具１０の詳細構成を示す前面図である。図２（ｃ）は、左側方から見たダーツ回収器具１０の詳細構成を示す左側面図である。図３は、ダーツ回収器具１０を使用する様子を示す説明図である。
【００１６】
各図のＸＹＺ軸は、ダーツ回収器具１０における各部の位置関係を示す。各図のＸＹＺ軸は、他の図におけるＸＹＺ軸に対応する。＋Ｘ軸方向は右側方を示し、−Ｘ軸方向は左側方を示す。＋Ｙ軸方向は前方を示し、−Ｙ軸方向は後方を示す。＋Ｚ軸方向は上方を示し、−Ｚ軸方向は下方を示す。
【００１７】
ダーツ回収器具１０は、ダーツボードＤＢからダーツＤＴを回収する器具である。ダーツＤＴは、矢先方向から、矢尻であるティップＴＰと、ティップＴＰに連結されるバレルＢＲと、バレルＢＲに連結されるシャフトＳＦと、シャフトＳＦに設けられた矢羽であるフライトＦＬとを備える。ダーツ回収器具１０は、一対の第１間隙形成部１１０と、一対の第２間隙形成部１２０と、底部２１０と、柄部２００とを備える。
【００１８】
ダーツ回収器具１０における一対の第１間隙形成部１１０は、ダーツＤＴのバレルＢＲの通過を阻止可能な第１の間隔を有する第１の間隙ＳＴ１を形成する。第１の間隙ＳＴ１は、上方からダーツＤＴのティップＴＰを受け入れ可能に上下方向に延びている。第１の間隙ＳＴ１は、ダーツボードＤＢに刺さったダーツＤＴを受け入れ可能に構成されている。第１の間隙ＳＴ１は、複数のダーツＤＴを積み重ねて保持可能に構成されている。
【００１９】
ダーツ回収器具１０における一対の第２間隙形成部１２０は、第１の間隔より広い第２の間隔を有する第２の間隙ＳＴ２を形成する。第２の間隙ＳＴ２は、上方からダーツＤＴのバレルＢＲを受け入れ可能に上下方向に延びている。第２の間隙ＳＴ２は、ダーツボードＤＢに刺さったダーツＤＴを受け入れ可能に構成されている。第２の間隙ＳＴ２は、複数のダーツＤＴを積み重ねて保持可能に構成されている。
【００２０】
本実施形態では、ダーツ回収器具１０は、一対の第１間隙形成部１１０と、一対の第２間隙形成部１２０とが形成された保持部１００を備える。保持部１００は、前方を向いた前端部１０１と、後方を向いた後端部１０２と、上方を向いた上端部１０３と、下方を向いた下端部１０４を有する。保持部１００は、右側プレート１００Ｒと、左側プレート１００Ｌとを備える。右側プレート１００Ｒおよび左側プレート１００Ｌは、第１間隙形成部１１０を形成する部位が内側に折り曲げられた矩形状を成す金属板である。右側プレート１００Ｒおよび左側プレート１００Ｌは、柄部２００の端部である底部２１０を挟み込む状態で柄部２００に固定されている。右側プレート１００Ｒおよび左側プレート１００Ｌは、リベット３００によって柄部２００に対して固定されている。一対の第１間隙形成部１１０および一対の第２間隙形成部１２０は、相互に向かい合った右側プレート１００Ｒおよび左側プレート１００Ｌによって形成される。
【００２１】
本実施形態では、図２（ｂ）に示すように、ダーツ回収器具１０は、一対の第３間隙形成部１３０を備える。一対の第３間隙形成部１３０は、第１の間隙ＳＴ１の上端から上方に向かうに連れて広がる第３の間隙ＳＴ３を形成する。一対の第３間隙形成部１３０は、相互に向かい合った右側プレート１００Ｒおよび左側プレート１００Ｌによって形成される。
【００２２】
ダーツ回収器具１０の底部２１０は、第２の間隙ＳＴ２の下端を形成する。本実施形態では、底部２１０は、第１の間隙ＳＴ１に向けて傾斜している。言い換えると、底部２１０は、前方および上方を向いている。本実施形態では、底部２１０は、柄部２００の端部である。
【００２３】
ダーツ回収器具１０の柄部２００は、底部２１０より下方に延びている。柄部２００は、使用者が手で握り持つことが可能に構成されている。本実施形態では、柄部２００は、底部２１０より下方かつ後方に延びている。本実施形態では、柄部２００は、木製の角材である。
【００２４】
図３に示すように、ダーツボードＤＢからダーツＤＴを回収する際には、ダーツ回収器具１０の使用者は、保持部１００の前端部１０１をダーツボードＤＢに沿わせるように、ダーツボードＤＢに刺さっているダーツＤＴの下方から、第１の間隙ＳＴ１をダーツＤＴのティップＴＰへと位置合わせするとともに、第２の間隙ＳＴ２をダーツＤＴのバレルＢＲへと位置合わせする。
【００２５】
図４は、ダーツ回収器具１０を使用する様子を示す説明図である。図４の状態は、図３の状態から保持部１００を上方に移動させることによって、第１の間隙ＳＴ１および第２の間隙ＳＴ２の奥へとダーツＤＴを受け入れた状態である。使用者は、図４の状態から前端部１０１の上部を支点として柄部２００を上方に持ち上げることによって、第１の間隙ＳＴ１とダーツＤＴとの接触点、もしくは、底部２１０とダーツＤＴとの接触点が作用点となり、ダーツボードＤＢからダーツＤＴを引き抜くことができる。
【００２６】
図５は、ダーツ回収器具１０を使用する様子を示す説明図である。図５の状態は、第１の間隙ＳＴ１および第２の間隙ＳＴ２において１本のダーツＤＴを保持している状態である。底部２１０が前方に傾斜しているため、ダーツＤＴは、前方に傾斜した状態で保持部１００に保持される。
【００２７】
図６は、ダーツ回収器具１０を使用する様子を示す説明図である。図６の状態は、第１の間隙ＳＴ１および第２の間隙ＳＴ２において３本のダーツＤＴを保持している状態である。使用者は、１本のダーツＤＴを保持した状態（図５）にあるダーツ回収器具１０を用いて、図３および図４と同様の動作を２本目および３本目のダーツＤＴに対して繰り返すことによって、３本のダーツＤＴを連続して回収できる。
【００２８】
以上説明した第１実施形態によれば、第１の間隙ＳＴ１および第２の間隙ＳＴ２は、ダーツボードＤＢに刺さったダーツＤＴを受け入れ可能に構成されているとともに、複数のダーツＤＴを積み重ねて保持可能に構成されているため、ダーツボードＤＢに対して比較的に低い位置からであっても、ダーツボードＤＢから複数のダーツＤＴを容易にまとめて回収できる。
【００２９】
また、底部２１０が第１の間隙ＳＴ１に向けて傾斜しているため、第１の間隙ＳＴ１および第２の間隙ＳＴ２に保持されているダーツＤＴを、ダーツＤＴのバレルＢＲが第１の間隙ＳＴ１に係合する方向へと重力によって案内できるため、第１の間隙ＳＴ１および第２の間隙ＳＴ２からのダーツの脱落を防止できる。
【００３０】
また、第１の間隙ＳＴ１の上端から上方に向かうに連れて広がる第３の間隙ＳＴ３を形成する一対の第３間隙形成部１３０を備えるため、ダーツボードＤＢに刺さっているダーツＤＴのティップＴＰを第３の間隙ＳＴ３を通じて第１の間隙ＳＴ１へと容易に案内できる。
【００３１】
また、柄部２００は、底部２１０より下方かつ後方に延びているため、ダーツボードＤＢに刺さっているダーツＤＴに対して容易に位置合わせできる。また、ダーツボードＤＢからダーツＤＴを引き抜く力を容易に加えることができる。
【００３２】
Ｂ．第２実施形態
図７は、第２実施形態におけるダーツ回収器具１０Ｂを示す説明図である。第２実施形態のダーツ回収器具１０Ｂは、使用者の腕ＡＭを支持可能に構成された腕支持部２５０を備える点を除き、第１実施形態のダーツ回収器具１０と同様である。腕支持部２５０は、柄部２００の下端から後方に延びた形状を成す。使用者が柄部２００を握り持った状態で、腕支持部２５０は、使用者の腕ＡＭに接触する。
【００３３】
以上説明した第２実施形態によれば、第１実施形態と同様に、ダーツボードＤＢに対して比較的に低い位置からであっても、ダーツボードＤＢから複数のダーツＤＴを容易にまとめて回収できる。また、腕支持部２５０によって使用者の腕ＡＭが支持されるため、安定性および操作性を向上させることができる。
【００３４】
Ｃ．第３実施形態
図８は、第３実施形態におけるダーツ回収器具１０Ｃを示す説明図である。第３実施形態のダーツ回収器具１０Ｃは、保持部１００が柄部２００に対して後方へと回転可能に支持されている点を除き、第１実施形態のダーツ回収器具１０と同様である。図８における移動位置ＭＶは、後方へと回転移動した保持部１００の位置を示す。
【００３５】
第３実施形態のダーツ回収器具１０Ｃは、リベット３００に代えて、回転支持部３５０Ｃと、バネ部３６０Ｃとを備える。回転支持部３５０Ｃは、保持部１００が柄部２００に対して後方へと回転可能に保持部１００を柄部２００に支持する。バネ部３６０Ｃは、保持部１００を前方へと押し付ける。本実施形態では、バネ部３６０Ｃは、金属製のねじりばねを含む。使用者が保持部１００をダーツボードＤＢに押え付けた場合、保持部１００は、移動位置ＭＶに向けて後方へと回転移動する。保持部１００をダーツボードＤＢに押え付ける力がなくなった場合、保持部１００は、バネ部３６０Ｃによって前方に押し付けられることによって元の位置へと回転移動する。
【００３６】
以上説明した第３実施形態によれば、第１実施形態と同様に、ダーツボードＤＢに対して比較的に低い位置からであっても、ダーツボードＤＢから複数のダーツＤＴを容易にまとめて回収できる。また、ダーツボードＤＢに対する前後方向の位置ズレを柄部２００に対する保持部１００の回転によって調整できるため、ダーツボードＤＢに刺さっているダーツＤＴに対して容易に位置合わせできる。
【００３７】
Ｄ．第４実施形態
図９は、第４実施形態におけるダーツ回収器具１０Ｄを示す説明図である。図９（ａ）は、上方から見たダーツ回収器具１０Ｄを示す上面図である。図９（ｂ）は、左側方から見たダーツ回収器具１０Ｄを示す左側面図である。
【００３８】
第４実施形態のダーツ回収器具１０Ｄは、一対の緩衝材１８０Ｄを備える点を除き、第１実施形態のダーツ回収器具１０と同様である。一対の緩衝材１８０Ｄは、第２の間隙ＳＴ２において内側に向けて突出するとともに上下方向に延びている。図９における一対の緩衝材１８０Ｄにはハッチングが施されている。本実施形態では、一対の緩衝材１８０Ｄは、発泡樹脂（スポンジ）である。一対の緩衝材１８０Ｄは、第２の間隙ＳＴ２における後端部に設けられている。
【００３９】
以上説明した第４実施形態によれば、第１実施形態と同様に、ダーツボードＤＢに対して比較的に低い位置からであっても、ダーツボードＤＢから複数のダーツＤＴを容易にまとめて回収できる。また、一対の緩衝材１８０Ｄの間にダーツＤＴのバレルＢＲおよびシャフトＳＦの少なくとも一部を挟み込むことによって、第１の間隙ＳＴ１および第２の間隙ＳＴ２からのダーツＤＴの脱落を防止できる。
【００４０】
Ｅ．その他の実施形態
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００４１】
保持部１００の材質は、金属に限らず、樹脂であってもよいし、複合素材であってもよい。柄部２００の材質は、木材に限らず、樹脂であってもよいし、金属であってもよいし、複合素材であってもよい。保持部１００および柄部２００は、一体成形品であってもよい。
【００４２】
柄部２００は、伸縮可能な機構を備えてもよい。柄部２００は、人の手に対応した形状を有するグリップを備えてもよい。
【００４３】
ダーツ回収器具１０は、第１の間隙ＳＴ１における第１の間隔を調整可能な機構を備えてもよい。ダーツ回収器具１０は、第２の間隙ＳＴ２における第２の間隔を調整可能な機構を備えてもよい。ダーツ回収器具１０は、第２の間隙ＳＴ２における前後方向の長さを調整可能な機構を備えてもよい。
【００４４】
ダーツ回収器具１０は、柄部２００の下端に、ダーツＤＴのバレルＢＲに吸着可能な磁石を備えてもよい。これによって、ダーツＤＴのバレルＢＲが磁石に吸着可能な素材である場合、床に落ちたーツＤＴを容易に回収できる。
【００４５】
ダーツ回収器具１０は、柄部２００の下端に、ダーツＤＴのバレルＢＲを着脱可能に挟み込み可能なクリップを備えてもよい。これによって、床に落ちたダーツＤＴを容易に回収できる。また、柄部２００の下端に、ダーツＤＴのバレルＢＲに張り付き可能な粘着素材を備えてもよい。これによって、床に落ちたダーツＤＴを容易に回収できる。
【００４６】
ダーツ回収器具１０は、第２の間隙ＳＴ２を形成する面、ならびに、底部２１０を形成する面の少なくとも一方に、シート状の緩衝材（例えば、樹脂、ゴム、発泡樹脂、発泡ゴムなど）を備えてもよい。これによって、ダーツＤＴの損傷を防止できる。
【００４７】
第１間隙形成部１１０は、第２間隙形成部１２０と同一部材によって構成されてもよいし、別部材によって構成されてもよい。第２間隙形成部１２０は、第３間隙形成部１３０と同一部材によって構成されてもよいし、別部材によって構成されてもよい。
【００４８】
ダーツ回収器具１０は、樹脂製のティップＴＰを備えるダーツＤＴ（いわゆる「ソフトダーツ」を回収可能な形状に最適化されていてもよいし、金属製のティップＴＰを備えるダーツＤＴ（いわゆる「ハードダーツ」を回収可能な形状に最適化されていてもよいし、ソフトダーツおよびハードダーツの両方を回収可能な形状に最適化されていてもよい。
【００４９】
保持部１００と柄部２００との連結構造は、リベット３００に限らず、釘であってもよいし、ネジであってもよいし、ボルトおよびナットであってもよいし、接着剤であってもよい。
【符号の説明】
【００５０】
１０…ダーツ回収器具
１０Ｂ…ダーツ回収器具
１０Ｃ…ダーツ回収器具
１０Ｄ…ダーツ回収器具
１００…保持部
１００Ｌ…左側プレート
１００Ｒ…右側プレート
１０１…前端部
１０２…後端部
１０３…上端部
１０４…下端部
１１０…第１間隙形成部
１２０…第２間隙形成部
１３０…第３間隙形成部
１８０Ｄ…緩衝材
２００…柄部
２１０…底部
２５０…腕支持部
３００…リベット
３５０Ｃ…回転支持部
３６０Ｃ…バネ部
ＡＭ…腕
ＢＲ…バレル
ＤＢ…ダーツボード
ＤＴ…ダーツ
ＦＬ…フライト
ＭＶ…移動位置
ＳＦ…シャフト
ＳＴ１…第１の間隙
ＳＴ２…第２の間隙
ＳＴ３…第３の間隙
ＴＰ…ティップ
【図１】
2020000809.tif 000003
【図２】
2020000809.tif 000004
【図３】
2020000809.tif 000005
【図４】
2020000809.tif 000006
【図５】
2020000809.tif 000007
【図６】
2020000809.tif 000008
【図７】
2020000809.tif 000009
【図８】
2020000809.tif 000010
【図９】
2020000809.tif 000011